(57)【要約】      （修正有）【課題】手で握り易く、開栓時に滑りにくいキャップオープナーを提供する。【解決手段】キャップオープナー１は、Ｃ字形に開口する円弧状部１１と、円弧状部１１の両端から連続してハ字形に伸びるハンドル部１２，１２とを一体とした本体１０を備え、ハンドル部１２，１２の外側面を握り込む様にして円弧状部１１の内側面でスクリューキャップの外周面を挟み、ハンドル部１２，１２を所定方向へ回動させることにより、ペットボトルのスクリューキャップを緩めるのに用いる器具であって、本体１０は、Ｃ字形の両端からハ字形に伸びる正面部２１と、正面部２１の周囲の縁から背面側に伸びる側壁部２２とを備える背面開放とされた合成樹脂製の箱枠状構造の芯材２０と、芯材２０の外側と内側の側壁部同士を連絡する様に芯材２０の正面部２１及び側壁部２２の表面に設けられたシリコーン樹脂製の表皮材３０とを備えている。【選択図】図２
0003211176.tif 000002
【実用新案登録請求の範囲】
【請求項１】
Ｃ字形に開口する円弧状部と、該円弧状部の両端から連続してハ字形に伸びるハンドル部とを一体とした本体を備え、前記ハンドル部の外側面を握り込む様にして前記円弧状部の内側面でスクリューキャップの外周面を挟み、当該ハンドル部を所定方向へ回動させることにより、前記スクリューキャップを緩めるのに用いる器具であって、以下の構成をも備えていることを特徴とするキャップオープナー。
（１）前記本体は、前記Ｃ字形の両端から前記ハ字形に伸びる正面部と、該正面部の周囲の縁から背面側に伸びる側壁部とを備える背面開放とされた合成樹脂製の箱枠状構造の芯材と、該芯材の外側と内側の側壁部同士を連絡する様に前記芯材の正面部及び側壁部の表面に設けられたシリコーン樹脂製の表皮材と、を備えていること。
【請求項２】
さらに、以下の構成をも備えていることを特徴とする請求項１に記載のキャップオープナー。
（２）前記芯材は、前記円弧状部の内側面において前記開口と対面する位置にＵ字形の凹部を備えると共に該円弧状部の正面部と面一で内側に突出する円弧状の庇部を備え、前記表皮材は、前記庇部を覆い隠してさらに内側に迫り出す板状の迫り出し部を備えると共に該迫り出し部には前記凹部に向かって窪む様に切り込み部を備えていること。
【請求項３】
さらに、以下の構成をも備えていることを特徴とする請求項１又は２に記載のキャップオープナー。
（３）前記切り込み部を図形の一部とする様に、前記迫り出し部の内側の縁を図案化した形状に形成すること。
【請求項４】
さらに、以下の構成をも備えていることを特徴とする請求項１〜３のいずれかに記載のキャップオープナー。
（４）前記円弧状部は、内側面に備えられた表皮材が、前記ハンドル部を握らない状態でペットボトルのスクリューキャップの外周に当接する寸法とされていること。
【請求項５】
さらに、以下の構成をも備えていることを特徴とする請求項１〜４のいずれかに記載のキャップオープナー。
（５）前記芯材の正面部には、所々で分断されたリブ部材が正面に向かって突設され、前記表皮材が、当該分断箇所を介して外側と内側の側壁部同士の間を連絡する様に設けられていること。
【請求項６】
さらに、以下の構成をも備えていることを特徴とする請求項１〜５のいずれかに記載のキャップオープナー。
（６）前記芯材の正面部には、閉じた形状をなす閉鎖形リブが突設されると共に、該閉鎖形リブの内側及び外側にそれぞれ貫通穴が開口され、前記表皮材は、前記貫通穴を介して前記閉鎖形リブの外側と内側とを連絡する様に、前記芯材の正面部の表面から裏面に跨る様に設けられていること。
【考案の詳細な説明】
【技術分野】
【０００１】
本考案は、キャップオープナーに係り、特に、ペットボトルなどのスクリューキャップをあけるのに用いるキャップオープナーに関する。
【背景技術】
【０００２】
従来、全体を樹脂一体成形で製造したキャップオープナー（特許文献１）や、金属板を曲げて製造したキャップオープナー（特許文献２）が知られている。
【先行技術文献】
【特許文献】
【０００３】
【特許文献１】実用新案登録第３０３７４３５号（図２，３）
【特許文献２】特許第５３９６３８４号（図１，３，４)
【考案の概要】
【考案が解決しようとする課題】
【０００４】
特許文献１のキャップオープナーは縦凹凸条をキャップに当接させ、特許文献２のキャップオープナーは角張った当接部をキャップに当接させ、それぞれキャップに対する滑りを防止している。また、特許文献１のキャップオープナーは断面Ｔ字型とし、特許文献２のキャップオープナーは捩れ部を形成し、把持部の剛性を高めている。
【０００５】
これら特許文献１，２のキャップオープナーは、剛性の高い把持部が手に直接触れるため強く握り難く、縦凹凸条や角張った当接部のキャップに対する当接が甘くなるという問題がある。
【０００６】
そこで、本考案は、手で握り易く、開栓時に滑りにくいキャップオープナーを提供することを目的とする。
【課題を解決するための手段】
【０００７】
上記目的を達成するためになされた本考案のキャップオープナーは、Ｃ字形に開口する円弧状部と、該円弧状部の両端から連続してハ字形に伸びるハンドル部とを一体とした本体を備え、前記ハンドル部の外側面を握り込む様にして前記円弧状部の内側面でスクリューキャップの外周面を挟み、当該ハンドル部を所定方向へ回動させることにより、前記スクリューキャップを緩めるのに用いる器具であって、以下の構成をも備えていることを特徴とする。
（１）前記本体は、前記Ｃ字形の両端から前記ハ字形に伸びる正面部と、該正面部の周囲の縁から背面側に伸びる側壁部とを備える背面開放とされた合成樹脂製の箱枠状構造の芯材と、該芯材の外側と内側の側壁部同士を連絡する様に前記芯材の正面部及び側壁部の表面に設けられたシリコーン樹脂製の表皮材と、を備えていること。
【０００８】
本考案のキャップオープナーによれば、円弧状部の内側面及びハンドル部の外側面がシリコーン樹脂製の表皮材で覆われている。従って、スクリューキャップの外周面は円弧状部の内側面に備えられたシリコーン樹脂製の表皮材が面で当接して滑り難く、キャップを緩めようとする人の手指にはハンドル部の外側面に備えられたシリコーン樹脂製の表皮材が当接していて握ったときに手指に食い込まない。
【０００９】
本考案のキャップオープナーは、さらに、以下の構成をも備えるとよい。
（２）前記芯材は、前記円弧状部の内側面において前記開口と対面する位置にＵ字形の凹部を備えると共に該円弧状部の正面部と面一で内側に突出する円弧状の庇部を備え、前記表皮材は、前記庇部を覆い隠してさらに内側に迫り出す板状の迫り出し部を備えると共に該迫り出し部には前記凹部に向かって窪む様に切り込み部を備えていること。
【００１０】
（２）の構成を備えたキャップオープナーによれば、円弧状部の内側に迫り出し、根元側が芯材の庇部によって補強されたシリコーン樹脂製の迫り出し部が備わっているから、スクリューキャップに対して円弧状部を嵌り込ませる際に、円弧状部の内側面をスクリューキャップの外周面にしっかりと対面させた置決めを容易に実施することができる。また、芯材には円弧状部の内側面において開口と対面する位置にＵ字形の凹部が備わっているから、円弧を縮ませる方向へと容易に変形させることができる。そして、迫り出し部には凹部に向かって窪む切り込み部が備わっているから、この変形の際には切り込み部が狭まる様に迫り出し部が変形する。この結果、（２）の構成をも備えたキャップオープナーは、置決めし易く、変形させ易く、置決め機能が変形を阻害することもない。
【００１１】
これら本考案のキャップオープナーは、さらに、以下の構成をも備えるとよい。
（３）前記切り込み部を図形の一部とする様に、前記迫り出し部の内側の縁を図案化した形状に形成すること。
【００１２】
例えば、切り込み部を耳の先端とする様に犬の横顔を模した形状となる様に迫り出し部の内側の縁を図案化した形状にすることにより、迫り出し部による装飾効果を発揮させることができる。
【００１３】
これら本考案のキャップオープナーは、さらに、以下の構成をも備えるとよい。
（４）前記円弧状部は、内側面に備えられた表皮材が、前記ハンドル部を握らない状態でペットボトルのスクリューキャップの外周に当接する寸法とされていること。
【００１４】
（４）の構成をも備えたキャップオープナーによれば、円弧状部をスクリューキャップに対して嵌め込んだ状態で本体が保持されるから、装着が容易である。なお、ペットボトルのキャップは、国産品に対する規格（メートルネジ）と海外製品に対する規格（インチネジ）により寸法が異なるが、国産品に対する規格の方が寸法が小さいことから、国産品に対応させれ（４）の構成を備えるとよい。海外製品は寸法が大きいものの、円弧状部を若干開き気味にして装着することができるからである。
【００１５】
これら本考案のキャップオープナーは、さらに、以下の構成をも備えるとよい。
（５）前記芯材の正面部には、所々で分断されたリブ部材が正面に向かって突設され、前記表皮材が、当該分断箇所を介して外側と内側の側壁部同士の間を連絡する様に設けられていること。
【００１６】
本考案のキャップオープナーは、芯材を射出成形で製造し、さらに、インサート成形又は二色成形によって表皮材を形成する方法で製造することができる。この際、リブ部材が正面部へのシリコーン樹脂の流入空間を確保させ、分断部が外側と内側の側壁部へもシリコーン樹脂を流入させる湯道となる。従って、（５）の構成をも備えるキャップオープナーは、インサート成形や二色成形によって量産するのに適したものとなる。
【００１７】
これら本考案のキャップオープナーは、さらに、以下の構成をも備えることができる。
（６）前記芯材の正面部には、閉じた形状をなす閉鎖形リブが突設されると共に、該閉鎖形リブの内側及び外側にそれぞれ貫通穴が開口され、前記表皮材は、前記貫通穴を介して前記閉鎖形リブの外側と内側とを連絡する様に、前記芯材の正面部の表面から裏面に跨る様に設けられていること。
【００１８】
（６）の構成をも備えるキャップオープナーによれば、閉鎖形リブによって芯材の正面部にアルファベットや図形などのロゴや絵柄などの装飾を本体の正面に施すことができる。そして、閉鎖形リブの内側及び外側にそれぞれ貫通穴が開口されているから、インサート成形や二色成形によって閉鎖形リブの閉空間内へもシリコーン樹脂を流入させることができる。これにより、芯材を構成する合成樹脂と表皮材を構成するシリコーン樹脂を互いに強調し合う色のものとしておけば、ロゴなどを鮮明に表現することができる。
【考案の効果】
【００１９】
本考案によれば、手で握り易く、開栓時に滑りにくいキャップオープナーを提供することができる。
【図面の簡単な説明】
【００２０】
【図１】実施例１のキャップオープナーの斜視図である。
【図２】実施例１のキャップオープナーの六面図及びａ−ａ拡大端面図である。
【図３】実施例１のキャップオープナーの芯材の六面図である。
【図４】実施例１のキャップオープナーを国産品のペットボトルに対して使用する様子を示す斜視図である。
【図５】実施例１のキャップオープナーを海外製品のペットボトルに対して使用する様子を示す斜視図である。
【考案を実施するための形態】
【００２１】
以下、本考案を実施するための形態を実施例で説明する。
【実施例１】
【００２２】
実施例１のキャップオープナー１は、図１，２に示す様に、Ｃ字形に開口する円弧状部１１と、円弧状部１１の両端から連続してハ字形に伸びるハンドル部１２，１２とを一体とした本体１０を備え、図４，図５に示す様に、ハンドル部１２，１２の外側面を握り込む様にして円弧状部１１の内側面でスクリューキャップＣ１，Ｃ２の外周面を挟み、ハンドル部１２，１２を所定方向へ回動させることにより、ペットボトルＰ１，Ｐ２のスクリューキャップＣ１，Ｃ２を緩めるのに用いる器具である。
【００２３】
本体１０は、図２に示す様に、Ｃ字形の両端からハ字形に伸びる正面部２１と、正面部２１の周囲の縁から背面側に伸びる側壁部２２とを備える背面開放とされた合成樹脂製の箱枠状構造の芯材２０と、芯材２０の外側と内側の側壁部同士を連絡する様に芯材２０の正面部２１及び側壁部２２の表面に設けられたシリコーン樹脂製の表皮材３０とを備えている。
【００２４】
芯材２０は、図３に示す様に、円弧状部２１の内側面において開口と対面する位置にＵ字形の凹部２３を備えると共に円弧状部２１の正面部と面一で内側に突出する円弧状の庇部２４を備えている。表皮材３０は、庇部２４を覆い隠してさらに内側に迫り出す板状の迫り出し部３１を備えると共に、迫り出し部３１には凹部２３に向かって窪む様に切り込み部３２を備えている。
【００２５】
迫り出し部３１の内側の縁は、切り込み部３２を図形の一部とする様に図案化した形状に形成されている。本実施例では、切り込み部３２を一方の耳の先端とする様に犬の横顔を模した形状となる様に迫り出し部３１の内側の縁を図案化した形状にしている。
【００２６】
本実施例のキャップオープナー１は、図４に示す様に、円弧状部１１が、内側面に備えられた表皮材３０が、ハンドル部１２，１２を握らない状態で国産品に対する規格（メートルネジ）のペットボトルＰ１のスクリューキャップＣ１の外周に当接する寸法とされている。
【００２７】
また、芯材２０の正面部２１には、所々で分断されたリブ部材２５，２５，…が正面に向かって突設され、表皮材３０が、当該分断箇所を介して外側と内側の側壁部同士の間を連絡する様に設けられている。
【００２８】
さらに、芯材１０の正面部２１には、閉じた形状をなす閉鎖形リブ２６，２６，…が突設されると共に、閉鎖形リブ２６，２６，…の内側及び外側にそれぞれ貫通穴２７，２７，…が開口され、表皮材３０は、貫通穴を介して閉鎖形リブの外側と内側とを連絡する様に、芯材２０の正面部２１の表面から裏面に跨る様に設けられている。
【００２９】
本実施例のキャップオープナー１は、芯材２０を射出成形で製造し、さらに、インサート成形又は二色成形によって表皮材３０を形成する方法で製造することができる。この際、リブ部材２５，２５，…が正面部２１へのシリコーン樹脂の流入空間を確保させ、分断部が外側と内側の側壁部２２へもシリコーン樹脂を流入させる湯道となる。また、閉鎖形リブ２６，２６，…の内側及び外側には貫通穴２７，２７，…が開口されているから、インサート成形や二色成形によって閉鎖形リブ２６，２６，…の閉空間内へもシリコーン樹脂を流入させることができる。本実施例では、芯材２０を構成する合成樹脂と表皮材３０を構成するシリコーン樹脂を互いに強調し合う色のものとして、ロゴなどを鮮明に表現している。
【００３０】
本実施例のキャップオープナー１によれば、円弧状部１１の内側面及びハンドル部１２，１２の外側面がシリコーン樹脂製の表皮材３０で覆われている。従って、スクリューキャップＣ１の外周面は円弧状部１１の内側面に備えられたシリコーン樹脂製の表皮材３０が面で当接して滑り難く、キャップＣ１を緩めようとする人の手指にはハンドル部１２，１２の外側面に備えられたシリコーン樹脂製の表皮材３０が当接していて握ったときに手指に食い込まない。
【００３１】
また、本実施例のキャップオープナー１によれば、円弧状部１１の内側に迫り出し、根元側が芯材の庇部２４によって補強されたシリコーン樹脂製の迫り出し部３１が備わっているから、スクリューキャップＣ１に対して円弧状部１１を嵌り込ませる際に、円弧状部１１の内側面をスクリューキャップＣ１の外周面にしっかりと対面させた置決めを容易に実施することができる。また、芯材２０には円弧状部１１の内側面において開口と対面する位置にＵ字形の凹部２３が備わっているから、円弧を縮ませる方向へと容易に変形させることができる。そして、迫り出し部３１には凹部２３に向かって窪む切り込み部３２が備わっているから、この変形の際には切り込み部３２が狭まる様に迫り出し部３１が変形する。この結果、本実施例のキャップオープナー１は、置決めし易く、変形させ易く、置決め機能が変形を阻害することもない。
【００３２】
さらに、本実施例のキャップオープナー１は、迫り出し部３１の内側の縁を、切り込み部３２を一方の耳の先端とする様に犬の横顔を模した形状として、迫り出し部３１による装飾効果も高めている。
【００３３】
そして、本実施例のキャップオープナー１は、図４に示す様に、円弧状部１１をスクリューキャップＣ１に対して嵌め込んだ状態で本体１０が保持されるから、装着が容易である。また、メートルネジ規格に合わせてあるので、図５（Ａ）〜（Ｃ）に示す様に、国産品規格よりも寸法的に大きくなる海外製品の規格（インチネジ）のペットボトルＰ２に対しても、円弧状部１１をスクリューキャップＣ２に嵌め込んだ状態で本体１０を保持させて開栓作業を行うことができる。図５（Ｄ）は、右から、スクリューキャップを嵌め込んでいない状態、メートルネジ規格のスクリューキャップＣ１を嵌め込んだ状態、インチネジ規格のスクリューキャップＣ２を嵌め込んだ状態のキャップオープナー１を示している。図示の寸法線Ｌ１〜Ｌ３から、本実施例のキャップオープナー１はメートルネジ規格用に製造していることからスクリューキャップＣ１を嵌め込んだ状態ではハンドル部が僅かに開くだけであり、スクリューキャップＣ２を嵌め込んだ状態ではハンドル部がさらに開いていることが分かる。本実施例のキャップオープナー１は、芯材２０に凹部２３を備えさせて円弧状部１１を撓みやすくしているから、図５に示した様に、メートルネジ規格で設計されていてもインチネジ規格のスクリューキャップＣ２にも容易に適用できている。
【００３４】
加えて、本実施例のキャップオープナー１は、インサート成形や二色成形によって製造することができ、量産に適している。
【００３５】
この様に、本実施例によれば、手で握り易く、開栓時に滑りにくいキャップオープナーを提供することができる。
【００３６】
以上、考案を実施するための一実施例を説明したが、本考案は、これに限定されるものではなく、その要旨を逸脱しない範囲内における種々の変更が可能である。
【００３７】
例えば、迫り出し部３１の内側の縁を犬以外の動物の形態に図案化したり、星などの図形に図案化しても構わない。
【産業上の利用可能性】
【００３８】
本考案は、ペットボトル、ドリンク剤、瓶詰め等のキャップを僅かな力で開けるためのキャップオープナーに利用することができる。
【符号の説明】
【００３９】
１・・・キャップオープナー、１０・・・本体、１１・・・円弧状部、１２・・・ハンドル部、２０・・・芯材、２１・・・正面部、２２・・・側壁部、３０・・・表皮材、２３・・・凹部、２４・・・庇部、２５・・・リブ部材、２６・・・閉鎖形リブ、２７・・・貫通穴、３１・・・迫り出し部、３２・・・切り込み部、Ｃ１，Ｃ２・・・スクリューキャップ、Ｐ１，Ｐ２・・・ペットボトル。
【図１】
0003211176.tif 000003
【図２】
0003211176.tif 000004
【図３】
0003211176.tif 000005
【図４】
0003211176.tif 000006
【図５】
0003211176.tif 000007
【手続補正書】
【提出日】平成29年4月19日(2017.4.19)
【手続補正１】
【補正対象書類名】実用新案登録請求の範囲
【補正対象項目名】請求項３
【補正方法】変更
【補正の内容】
【請求項３】
さらに、以下の構成をも備えていることを特徴とする請求項２に記載のキャップオープナー。
（３）前記切り込み部を図形の一部とする様に、前記迫り出し部の内側の縁を図案化した形状に形成すること。